(57)【要約】【課題】排出スイッチが不測に作動された場合においても、遊技機前側にメダルが不正に放出される不具合を解消する。【解決手段】筐体１０内にメダルＭを貯留するポッパ１１０を有するメダル払出装置６０が設置され、入賞の態様に応じてメダル払出装置６０から遊技機前側にメダルを放出する遊技機であって、メダル払出装置６０に対し、メダルＭを遊技機前側に放出する放出経路５３を設け、筐体１０内にはメダル払出装置６０を作動可能な排出スイッチ１００を設けた。【選択図】        図１
2005034221.tif 000002
【特許請求の範囲】
【請求項１】
筐体内にメダルを貯留するホッパを有するメダル払出装置が設置され、入賞の態様に応じて前記メダル払出装置から遊技機前側にメダルを放出する遊技機であって、
前記メダル払出装置に対し、メダルを遊技機前側に放出する放出経路を設け、
前記筐体内には前記メダル払出装置を作動可能な排出スイッチを設けたことを特徴とする遊技機。
【発明の詳細な説明】
【０００１】
【発明の属する技術分野】
この発明は、例えば、スロットマシン、あるいはそれに類する遊技機に関し、筐体内にメダルを貯留するホッパを有するメダル払出装置が設置され、入賞の態様に応じてメダル払出装置から遊技機前側（遊技者側）にメダルを放出する遊技機に関する。
【０００２】
【従来の技術】
この種の遊技機において、メダル払出装置の保守・点検、あるいはメダルの洗浄等を行う際において、メダル払出装置のホッパ内に貯留されたメダルを遊技に関係することなく排出するために、筐体内にメダル払出装置を作動可能な排出スイッチが設けられ、その排出スイッチによってメダル払出装置を作動させることで、ホッパ内のメダルを遊技機前側のメダル受け皿に排出するように構成したものが知られている。
前記したように、筐体内に排出スイッチが設けられた遊技機において、筐体内にワイヤ等の異物が挿入され、その異物によって排出スイッチが不測に作動されて遊技機前側のメダル受け皿にメダルが不正に放出される（抜き取られる）場合がある。
このため、筐体の前側に開閉可能に設けられた扉体の開閉状態を検出するドアセンサと、このドアセンサからのドア開放信号の非出力状態において、排出スイッチが操作された際に、不正状態の発生を外部に報知する報知手段とを備えたものが知られている（例えば、特許文献１参照）。
【０００３】
【特許文献１】
特開平７−２７１１２４号公報（第２−３頁、図１−３）
【０００４】
【発明が解決しようとする課題】
ところで、前記した従来のものにおいては、ドアセンサあるいは報知手段が不測に作動不能となると、排出スイッチが不測に作動されて遊技機前側のメダル受け皿にメダルが不正に放出される（抜き取られる）場合がある。
【０００５】
この発明の目的は、前記問題点に鑑み、排出スイッチが不測に作動された場合においても、遊技機前側にメダルが不正に放出される不具合を解消することができる遊技機を提供することである。
【０００６】
【課題を解決するための手段】
前記目的を達成するために、手段１の発明に係る遊技機は、請求項１に記載のとおりの構成、すなわち、
「筐体内にメダルを貯留するホッパを有するメダル払出装置が設置され、入賞の態様に応じて前記メダル払出装置から遊技機前側にメダルを放出する遊技機であって、
前記メダル払出装置に対し、メダルを遊技機前側に放出する第１放出経路と、前記筐体内の所定位置に放出する第２放出経路と、をそれぞれ設け、
前記筐体内には前記メダル払出装置を作動可能な排出スイッチを設け、
前記排出スイッチによって前記メダル払出装置を作動したときには同メダル払出装置から前記第２放出経路に向けてメダルを放出する構成にしてあることを特徴とする遊技機。」を要旨とする。
したがって、遊技時には、入賞の態様に応じてメダル払出装置から放出されるメダルが第１放出経路を経て遊技機前側に放出される。
また、メダル払出装置の保守・点検等を行う際において、メダル払出装置のホッパ内に貯留されたメダルを排出する場合、排出スイッチによってメダル払出装置を作動すると、そのメダル払出装置から放出されるメダルが筐体内の第２放出経路に排出される。このため、排出スイッチが不測に作動された場合においても、遊技機前側にメダルが不正に放出されることがない。
【０００７】
また手段２の発明に係る遊技機は、手段１に記載の遊技機であって、メダル払出装置は、回転動作によってメダルを放出する払出用回転体が正逆方向に回転可能に備え、通常遊技時には前記払出用回転体が正回転することでメダルを第１放出経路に向けて放出し、排出スイッチによって前記メダル払出装置を作動したときには前記払出用回転体が逆回転することでメダルを第２放出経路に向けて放出する構成にしてある。
したがって、排出スイッチによってメダル払出装置を作動すると、払出用回転体が逆回転し、これによってメダルが第２放出経路に向けて放出されるため、排出スイッチが不測に作動された場合においても、遊技機前側にメダルが不正に放出されることがない。
【０００８】
手段３の発明に係る遊技機は、手段１に記載の遊技機であって、メダル払出装置は、第１放出経路に連通する第１の払出口と、第２放出経路に連通する第２の払出口と、をそれぞれ備え、通常遊技時にはメダルを前記第１の払出口から前記第１放出経路に向けて放出し、排出スイッチによって前記メダル払出装置を作動したときにはメダルを第２の払出口から前記第２放出経路に放出する構成にしてある。
したがって、排出スイッチによってメダル払出装置を作動すると、メダルが第２の払出口から第２放出経路に放出されるため、排出スイッチが不測に作動された場合においても、遊技機前側にメダルが不正に放出されることがない。
【０００９】
手段４の発明に係る遊技機は、手段１に記載の遊技機であって、請求項１に記載の遊技機であって、第１放出経路と第２放出経路は、分岐部を介してメダル払出装置の払出口に連通され、前記分岐部には、前記払出口を前記第１放出経路に連通させる第１位置と、前記払出口を前記第２放出経路に連通させる第２位置とに配置切換される切換部材が配設され、通常遊技時には前記切換部材が第１位置に配置され、排出スイッチによって前記メダル払出装置を作動したときには前記切換部材が第２位置に配置切換される構成にしてある。
したがって、排出スイッチによってメダル払出装置を作動すると、切換部材が第２位置に配置切換され、払出口が第２放出経路に連通されるため、排出スイッチが不測に作動された場合においても、遊技機前側にメダルが不正に放出されることがない。
【００１０】
【発明の実施の形態】
（実施の形態１）
この発明の実施の形態１を図１〜図９にしたがって説明する。
図１はスロットマシンあるいはそれに類する遊技機の筺体に対し上下の両扉体が開放された状態を示す斜視図である。図２は遊技機の正面図である。図３は遊技機の側面図である。
図１〜図３において、遊技機は、筺体１０、遊技ユニット２０、メダル払出装置６０、扉体４１等を備えて構成されている。
図１に示すように、筺体１０は、天板１１、底板１２、左右の両側板１３、１４及び背面板１５によって前方開口する略方形箱形に形成され、その左右の両側板１３、１４の間の略中間高さ位置には棚板１６が略水平状をなして固定状態で架設されている。
【００１１】
筺体１０内部の棚板１６上には、筺体１０の前側開口部から押し込み操作によって装着可能で、かつ引き出し操作によって取り外し可能な遊技ユニット２０が装着されている。
遊技ユニット２０は、回胴回転装置２１を主体として構成されている。この回胴回転装置２１は、周知のように、複数（例えば、左右及び中央の計３つ）の回胴体２２（回転リール、回転ドラム等）が並列状に備えている。これら複数の回胴体２２の外周面には、それぞれ複数の図柄が表示されている。
また、筺体１０内の所定位置には、回胴回転装置２１の複数の回胴体２２を個別に回転駆動する回胴モータ（ステッピングモータ）や後述するメダル払出装置６０の払出モータ６３等を作動制御する制御装置３０、すなわち、制御基板が収納された制御基板ボックス３１が装着されている。
【００１２】
筺体１０の前側には、扉体４１がその一側において扉用ヒンジ機構４０によって開閉可能に装着されている。また、扉体４１の自由端側には、同扉体４１の前側に設けられたシリンダー錠４５によって施錠・解錠操作される施錠フック４７を有する施錠装置４４が配設されている。そして、扉体４１は、その施錠装置４４が解錠されることで、扉用ヒンジ機構４０を開閉支点として筺体１０の前方に開放されるようになっている。
図１と図２に示すように、扉体４１の所定位置には、回胴回転装置２１の複数の回胴体２２の図柄を透視可能な透し窓４２が形成されるとともに、その透し窓４２の上方には遊技演出等に関する図柄を変動表示するための表示面を有する前面に有する表示装置（例えば液晶パネル装置）４３が配設されている。
図２と図３に示すように、扉体４１の前側には、メダル投入口４９、始動レバー５０、回胴体２２に対応する複数（例えば３つ）の停止ボタン５１、メダル受け皿５２、スピーカー等が配設されている。なお、始動レバー５０、停止ボタン５１の作動の信号は制御装置３０に伝達されるようになっている（図８参照）。
【００１３】
図１に示すように、筺体１０内部の棚板１６よりも下方において、その筺体１０の底板１２上には、メダルホッパ１１０を備えたメダル払出装置６０が前方に引き出し可能に設置されるとともに、そのメダル払出装置６０のメダルホッパ１１０のオーバーフローシュート１１１から排出されたメダルＭを受けて貯める補助収納タンク５８が設置されている。
【００１４】
メダル払出装置６０は、複数の回胴体２２の図柄が当たり図柄の組合せとなって停止したときに、すなわち入賞したときに、その入賞の態様に応じて賞品としての設定数のメダルＭを放出するようになっている。
図４〜図６に示すように、メダル払出装置６０は、その本体枠６１に対し払出モータ（図示しない）、払出用回転体６５、メダルホッパ１１０等が組み付けられて構成されている。すなわち、本体枠６１は、前後の両側板６３と、これら両側板６３の間に傾斜状に固定された傾斜板６２と、を有し、その傾斜板６２の内面（下向き面）側には、払出モータが装着されている。
払出モータの出力軸には、その出力軸と同一中心線上に駆動軸６４がトルク伝達可能に設けられ、この駆動軸６４は傾斜板６２の外面に突出している。そして、傾斜板６２の外面には、駆動軸６４を中心とし、かつ駆動軸６４と共に払出用回転体６５が回転可能に組み付けられている。
また、傾斜板６２の外面には、払出用回転体６５の外周に沿う円筒部１１０ａを下部に有し、上部に円筒部１１０ａに連通する上方開口の箱部１１０ｂを有するメダルホッパ１１０が装着されている。そして、メダルホッパ１１０には多数のメダルＭが収納され、その下部の円筒部１１０ａ内のメダルＭが自重によって払出用回転体６５に供給されるようになっている。
【００１５】
図５と図６に示すように、払出用回転体６５は、傾斜板６２の外面との間にメダルの厚さ寸法に対応する隙間を隔てた円盤状の回転板６６と、その回転板６６の周縁部に沿って一体に形成された周壁部６７とを備えている。
回転板６６には、メダルＭの外径寸法よりも適宜に大きい孔径寸法を有する複数のメダル投入口６８が回転板６６の中心に対しそれぞれ所定角度を隔てて形成されている。また、傾斜板６２の外面に対面する回転板６６の背面には、メダル投入口６８から所定の姿勢で投入されたメダルＭを次に述べる第１の払出口８０近傍まで移送する略円弧状の第１の移送体７０と、第２の払出口９０近傍まで移送する略円弧状の第２の移送体７１とがそれぞれ一体に設けられている。
【００１６】
払出用回転体６５の上部の両側部近傍において、傾斜板６２の外面、払出用回転体６５の外周部及びメダルホッパ１１０の円筒部との間には、払出用回転体６５の一方向の回転動作に基づいて第１の移送体７０によって移送されたメダルＭを放出する第１の払出口８０と、払出用回転体６５の反対方向の回転動作に基づいて第２の移送体７１によって移送されたメダルＭを放出する第２の払出口９０とがそれぞれ設けられている。
また、図５と図６に示すように、第１の払出口８０は、メダルＭを遊技機前側のメダル受け皿５２に放出するためために設けられたものであり、この第１の払出口８０には、扉体４１の後側に設けられかつ第１放出経路５３を構成する第１放出経路構成体５４のメダル受け口５５にメダルＭを導くための所定数の固定口板８２と、ピン状の可動払出体８３とがそれぞれ配設されている。また、可動払出体８３は、第１の払出口８０を拡開及び縮小可能で、常には払出バネによって第１の払出口８０を縮小する方向に付勢（弾発）されている。なお、第１放出経路構成体５４はメダル受け皿５２に連通している。
【００１７】
第２の払出口９０は、筺体１０内の所定位置に設置された補助収納タンク５８にメダルＭを排出するためのものであり、この第２の払出口９０には、同第２の払出口９０と補助収納タンク５８とを連通する第２放出経路９７を構成する第２放出経路構成体９８にメダルＭを導くための固定板９２と、ピン状の可動払出体９３とがそれぞれ配設されている。また、第２の払出口９０の可動払出体９３は、第１の払出口８０の可動払出体８３と略同様にして、第２の払出口９０を拡開及び縮小可能で、常には払出バネによって第２の払出口９０を縮小する方向に付勢（弾発）されている。
なお、メダル払出装置６０の傾斜板６２の外面には、第１の払出口８０及び第２の払出口９０の近傍の所定位置にメダルＭの移送方向を第１の払出口８０あるいは第２の払出口９０に向けて指向させる第１、第２の払出ピンあるいは払出爪（図示しない）がそれぞれ進退可能に装着されている。これによって、メダルＭが第１の払出口８０あるいは第２の払出口９０から払出不良なく確実に払い出されるようになっている。
【００１８】
筺体１０の内部の所定位置にはメダル払出装置６０の払出モータを作動可能な排出スイッチ１００が設けられている。この実施の形態１において、メダル払出装置６０の本体枠６１の前側の側板６３の前面に排出スイッチ１００が装着されている。この排出スイッチ１００は、制御装置３０に電気的に接続されている（図参照）。
そして、通常遊技時において、複数の回胴体２２の図柄が当たり図柄の組合せとなって停止して入賞したときには、払出モータが一方向に回転し、これによって払出用回転体６５が正方向（図６に向かって時計回り方向）に回転することで、設定数のメダルＭを第１の払出口８０から第１放出経路５３に向けて放出する。
また、排出スイッチ１００をスイッチ操作（ＯＮ）したときには、その信号が制御装置３０に伝達され、メダル払出装置６０の払出モータが通常遊技時の払出方向とは逆方向に回転される。これによって、払出用回転体６５が逆方向（図に向かって反時計回り方向）に回転することで、メダルＭを第２の払出口９０から第２放出経路９７に向けて放出するようになっている。
【００１９】
この実施の形態に係る遊技機は上述したように構成される。したがって、通常の遊技時において、メダル投入口４９に所定数（例えば、１〜３枚）のメダルＭを投入してから始動レバー５０を作動すると、複数（左右及び中央部の計３つ）の回胴体２２が回転する。そして、各停止ボタン５１がそれぞれボタン操作されることで、各回胴体２２がそれぞれ停止する。
複数の回胴体２２の図柄が当たり図柄の組合せとなって停止したときには、すなわち入賞したときには、払出モータによって払出用回転体６５が正方向（図６に向かって時計回り方向）に所定角度あるいは所定の回転数だけ回転されることことで、設定数のメダルＭが第１の払出口８０から第１放出経路５３に向けて払い出れた後、遊技機前側のメダル受け皿５２に放出される。
【００２０】
また、メダル払出装置６０の保守・点検等を行う際において、メダル払出装置６０のメダルホッパ１１０内に貯留されたメダルＭを排出する場合、まず、シリンダー錠４５に鍵を挿入して施錠装置４４を解錠してから扉体４１を扉用ヒンジ機構４０を支点として前方に開く。
ここで、排出スイッチ１００をスイッチ操作（ＯＮ）する。すると、その信号が制御装置３０に伝達され、メダル払出装置６０の払出モータが通常遊技時の払出方向とは逆方向に回転される。これによって、払出用回転体６５が逆方向（図に向かって反時計回り方向）に回転し、メダルＭが第２の払出口９０から第２放出経路９７に向けて放出される。そして、第２放出経路９７に放出されたメダルＭは自重によって補助収納タンク５８内に落下して収納される。
【００２１】
また、前記実施の形態１において、補助収納タンク５８に対し、同補助収納タンク５８内のメダルＭが満杯になったことを検出する検出器を設け、そのメダルＭ満杯の信号を制御装置３０に伝達することで払出モータを停止（一時停止）させるように構成することが望ましい。
また、メダル払出装置６０の払出用回転体６５を含むメダルホッパ１１０内のメダルＭが全て放出された（メダルホッパ１１０が空になった）ことをランプやブザー等の報知手段を作動することによって報知することが望ましい。
例えば、払出モータによる払出用回転体６５の逆方向（図７に向かって反時計回り方向）の回転時において、第２の払出口９０から放出されるメダルＭを検出するための検出器によるメダルＭの検出が１０秒程度断たれたときに、制御装置３０おいてメダルホッパ１１０が空になったと判断し、これに基づいてランプやブザー等の報知手段を作動させて報知することが望ましい。
【００２２】
また、扉体４１が閉じ状態に施錠された状態において、排出スイッチ１００が不正に作動された場合、前記したように払出用回転体６５が逆方向（図７に向かって反時計回り方向）に回転し、メダルＭが第２の払出口９０から第２放出経路９７を経て補助収納タンク５８内に落下して収納される。
このため、メダルホッパ１１０内に貯留されたメダルＭが遊技機前側のメダル受け皿５２に不正に放出される（抜き取られる）ことを防止することができる。
特に、スロットマシンのようなメダル遊技機においては、メダルＭを不正に抜き取られることを防止するために、排出スイッチ１００は設けられていないことが多く、この場合には、メダル払出装置６０の保守・点検等に際しメダル払出装置６０のメダルホッパ１１０内に貯留されたメダルＭを排出する作業に多くの手間や時間が必要となるが、このような不具合を解消することができる。
また、遊技ホールにおいては、その遊技機の筺体１０内に補助収納タンク５８が設置されることなく、当該部分にメダル回収経路の回収口が設けられる場合がある。この場合には、第２放出経路９７に放出されたメダルＭはメダル回収経路の回収口に落下するように構成される。これによって、メダルＭの自動回収が円滑に行われる。また、前記したように筺体１０内にメダル回収経路の回収口が設けられる場合には、メダル払出装置６０のメダルホッパ１１０に対するメダルＭの補給も自動的に行われるようになっている。
【００２３】
（実施の形態２）
次に、この発明の実施の形態２を図９と図１０にしたがって説明する。
この実施の形態２においては、メダル払出装置２６０の払出用回転体２６５は、制御装置によって作動制御される払出モータを駆動源として一方向に回転され、その外周部１箇所に、１つの払出口２８０が設けられている。そして、払出口２８０から分岐部を介して第１放出経路２５３と第２放出経路２９７とが分岐して設けられている。また、第１放出経路２５３は、実施の形態１と同様にして遊技機前側のメダル受け皿２５２に連通され、第２放出経路２９７は筺体内の補助収納タンク２５８に連通されている。
また、分岐部には、切換部材２２０が第１位置と第２位置とに配置切換可能に設けられている。そして、図９に示すように、切換部材２２０が第１位置にあるときには払出口２８０が第１放出経路２５３に連通される。
また、図１０に示すように、切換部材２２０が第２位置に配置切換されたときには払出口２８０が第２放出経路２９７に連通されるようになっている。
【００２４】
切換部材２２０は、制御装置によって作動制御されるソレノイド等の電動アクチュエータによって切換作動されるとともに、通常遊技時には第１位置に配置され、筺体内に設けられた排出スイッチをスイッチ操作してメダル払出装置２６０の払出モータを作動したときには、電動アクチュエータによって第２位置に配置切換されるようになっている。
この実施の形態２のその他の構成は、実施の形態１と略同様にして構成されるため、その説明は省略する。
【００２５】
したがって、この実施の形態２においても、扉体が閉じ状態に施錠された状態において、排出スイッチが不測に作動された場合、電動アクチュエータによって切換部材２２０が第２位置に配置切換される。これによって、払出口２８０から放出されるメダルＭは第２放出経路２９７を経て補助収納タンク２５８内に落下して収納される。
このため、メダルホッパ内に貯留されたメダルＭが遊技機前側のメダル受け皿２５２に不正に放出される（抜き取られる）ことを防止することができる。
【００２６】
（実施の形態３）
次に、実施の形態３を図１１と図１２にしたがって説明する。
この実施の形態３においては、メダル払出装置４６０の払出用回転体４６５は、制御装置によって作動制御される払出モータを駆動源として一方向に回転されるとともに、その払出用回転体４６５の外周部２箇所に、第１の払出口４８０と第２の払出口４９０とが接近あるいは所定距離だけ離間して設けられている。
そして、第１の払出口４８０に対し第１放出経路４５３が、第２の払出口４９０に対し第２放出経路４９７がそれぞれ連通して設けられている。また、第１放出経路４５３は、実施の形態１と同様にして遊技機前側のメダル受け皿４５２に連通され、第２放出経路４９７は筺体内の補助収納タンク４５８に連通されている。
【００２７】
第１、第２の両払出口４８０、４９０には、これら払出口４８０、４９０からのメダルＭの払出を許容する第１位置と、メダルＭの払出を不能とする第２位置とに配置切換される第１、第２の両シャッタ体４３０、４３１がそれぞれ設けられている。これら第１、第２の両シャッタ体４３０、４３１は、制御装置によって作動制御されるソレノイド等の各電動アクチュエータによってそれぞれ切換作動される。
そして、通常遊技時には、図１１に示すように、第１シャッタ体４３０が第１位置に、第２シャッタ体４３１が第２位置に配置される。
また、筺体内に設けられた排出スイッチをスイッチ操作してメダル払出装置２６０の払出モータを作動したときには、図１２に示すように、第１シャッタ体４３０が第２位置に、第２シャッタ体４３１が第１位置にそれぞれ配置切換されるようになっている。
この実施の形態３のその他の構成は、実施の形態１と略同様にして構成されるため、その説明は省略する。
【００２８】
したがって、この実施の形態３においても、扉体が閉じ状態に施錠された状態において、排出スイッチが不測に作動された場合、各電動アクチュエータによって第１シャッタ体４３０が第２位置に、第２シャッタ体４３１が第１位置にそれぞれ配置切換される（図１２参照）。
これによって、第１払出口４８０からのメダルＭの払出を不能とし、第２払出口４９０からのメダルＭの払出を許容することができる。このため、払出用回転体４６５の一方向の回転によって第２払出口４９０からメダルＭが放出され、そのメダルＭが第２放出経路４９７を経て補助収納タンク４５８内に落下して収納される。
このため、メダルホッパ内に貯留されたメダルＭが遊技機前側のメダル受け皿に不正に放出される（抜き取られる）ことを防止することができる。
【００２９】
（実施の形態４）
次に、この発明の実施の形態４を図１３にしたがって説明する。
この実施の形態４においては、実施の形態１と略同様にしてメダル払出装置６６０の払出用回転体６６５の外周面の２箇所に第１の払出口６８０と、第２の払出口６９０とがそれぞれ設けられている。そして、第１の払出口６８０は、第１放出経路６５３にメダルＭを放出してそのメダルＭを遊技機前側下部の下メダル受け皿６５２に放出するようになっている。
特に、この実施の形態４において、遊技機前側の略中間高さ位置、すなわち、扉体６４１の前側の略中間高さ位置に、上メダル受け皿６５９が設けられている。
そして、第２の払出口６９０は、同第２の払出口６９０と上メダル受け皿６５９とを連通する第２放出経路６９７を構成する第２放出経路構成体６９８にメダルＭを放出するようになっている。
また、上メダル受け皿６５９には、メダル投入口（図示しない）に対しメダルＭをスライドさせて投入可能なスライド案内路が形成されている。
【００３０】
また、この実施の形態４においては、通常遊技時にメダル払出装置６６０の払出モータが一方向に回転し、これによって払出用回転体６５が図に向かって反時計回り方向に回転することで、設定数のメダルＭが第２放出経路６９７を経て上メダル受け皿６５９に放出されるようになっている。
また、上メダル受け皿６５９にはメダルＭの満杯状態を検出する満杯検出器が設けられている。そして、上メダル受け皿６５９にメダルＭが満杯になったときには、満杯検出器によるメダルＭの満杯の信号が制御装置に伝達されるようになっている。そして、満杯の信号によって、払出用回転体６６５が図に向かって時計回り方向に回転制御され、第１の払出口６８０から第１放出経路６５３を経て下メダル受け皿６５２にメダルＭが放出されるようになっている。
【００３１】
したがって、この実施の形態４においては、メダル払出装置６６０から払い出されるメダルＭが、第２放出経路６９７を経て上メダル受け皿６５９に放出されて貯留される。その後、上メダル受け皿６５９にメダルＭが満杯になったときには、メダル払出装置６６０から払い出されるメダルＭが第１放出経路５３を経て下メダル受け皿６５２に放出されて貯留される。このため、従来のメダル遊技機と比べ、上メダル受け皿６５９に貯留されるメダルＭの数だけ多くのメダルＭを貯留することが可能となる。
また、上メダル受け皿６５９内のメダルＭをスライド案内路に沿ってスライドさせながらメダル投入口（図示しない）に容易に投入可能となる。
【００３２】
なお、この発明は前記実施の形態に限定するものではない。
例えば、メダル払出装置においては、払出用回転体の回転動作によってメダルＭを払い出す構造のもの以外であってもよい。すなわち、メダルＭを所定方向に払出可能な構造であれば、どのような構造のメダル払出装置であってもこの発明を実施することが可能である。
【００３３】
【発明の効果】
以上述べたように、この発明によれば、排出スイッチによってメダル払出装置を作動すると、そのメダル払出装置から放出されるメダルを筐体内の第２放出経路に排出することができる。このため、排出スイッチが不測に作動された場合においても、遊技機前側にメダルが不正に放出される不具合を防止することができる。
【図面の簡単な説明】
【図１】この発明の実施の形態１に係る遊技機の筺体に対し扉体が開放された状態を示す斜視図である。
【図２】同じく遊技機の正面図である。
【図３】同じく遊技機の側面図である。
【図４】同じくメダルホッパを備えたメダル払出装置と補助収納タンクとをそれぞれ示す斜視図である。
【図５】同じくメダル払出装置の本体枠からメダルホッパを分離した状態を示す斜視図である。
【図６】同じくメダル払出装置の払出用回転体の第１の払出口からメダルが払い出される状態を示す説明図である。
【図７】同じくメダル払出装置の払出用回転体の第２の払出口からメダルが払い出される状態を示す説明図である。
【図８】同じく遊技機の制御装置、各回胴体、停止ボタン、始動レバー、メダル払出装置、排出スイッチの関係を示すブロック図である。
【図９】この発明の実施の形態２に係る遊技機におけるメダル払出装置の払出用回転体の払出口と第１放出経路とが切換部材によって連通された状態を示す説明図である。
【図１０】同じく払出用回転体の払出口と第２放出経路とが切換部材によって連通された状態を示す説明図である。
【図１１】この発明の実施の形態３に係る遊技機におけるメダル払出装置の払出用回転体の第１払出口が開放され第２払出口が閉鎖された状態を示す説明図である。
【図１２】同じく払出用回転体の第２払出口が開放され第１払出口が閉鎖された状態を示す説明図である。
【図１３】この発明の実施の形態４に係る遊技機におけるメダル払出装置の払出用回転体、第１、第２払出口、第１、第２放出経路、上メダル受け皿、下メダル受け皿の関係を示す概要図である。
【符号の説明】
１０  筺体
２１  回胴回転装置
２２  回胴体
３０  制御装置
４１  扉体
５３  第１放出経路
５８  補助収納タンク
６０  メダル払出装置
６３  払出モータ
６５  払出用回転体
９７  第２放出経路
１００  排出スイッチ
１１０  メダルホッパ
【図１】
2005034221.tif 000003
【図２】
2005034221.tif 000004
【図３】
2005034221.tif 000005
【図４】
2005034221.tif 000006
【図５】
2005034221.tif 000007
【図６】
2005034221.tif 000008
【図７】
2005034221.tif 000009
【図８】
2005034221.tif 000010
【図９】
2005034221.tif 000011
【図１０】
2005034221.tif 000012
【図１１】
2005034221.tif 000013
【図１２】
2005034221.tif 000014
【図１３】
2005034221.tif 000015